(57)【要約】【課題】同一の眉を左右対称に短時間で容易に描く。【解決手段】眉毛描き用具は、マークシート１０と、型取りシート２０とを備えている。マークシート１０は、縦方向に延びる帯電可能な透過性のマークシート本体１１と、このマークシート本体１１の上端側に切り抜かれた十字溝１２とを有している。十字溝１２における縦溝１２ａを鼻梁に合わせると共に横溝１２ｂを眉の方向に合わせて、ペンにより顔の眉間の中心に十字マークを描く。型取りシート２０は、横方向に延びる帯電可能な透過性の型取りシート本体２１と、この型取りシート本体２１の一端側に形成され、眉間に描かれた十字マークに合わせるための位置決め用十字マーク部２２と、前記型取りシート本体２１の他端側と前記十字マーク部２２との間に設けられ、眉をペンでなぞって写し取るための型取り領域２１ｂとを有し、前記型取り領域２１ｂに写し取られた眉形状をカッタにより切り抜いて使用する。【選択図】      図１
0003103659.tif 000002
【実用新案登録請求の範囲】
【請求項１】
縦方向に延びる帯電可能な絶縁部材からなる透過性のマークシート本体と、前記マークシート本体の上端側に切り抜かれた所定寸法の十字溝とを有し、前記十字溝における縦溝を鼻梁に合わせると共に前記十字溝における横溝を眉の方向に合わせてペンにより眉間の中心に十字マークを描くためのマークシートと、
横方向に延びる帯電可能な絶縁部材からなる透過性の型取りシート本体と、前記型取りシート本体の一端側に形成され、前記眉間に描かれた前記十字マークに合わせるための所定寸法の位置決め用十字マーク部と、前記型取りシート本体の他端側と前記十字マーク部との間に設けられ、前記眉をペンでなぞって写し取るための型取り領域とを有し、前記型取り領域に写し取られた眉形状をカッタにより切り抜くための型取りシートと、
を備えたことを特徴とする眉毛描き用具。
【請求項２】
縦方向に延びる帯電可能な絶縁部材からなる透過性のマークシート本体と、前記マークシート本体の上端側に切り抜かれた所定寸法の十字溝とを有し、前記十字溝における縦溝を鼻梁に合わせると共に前記十字溝における横溝を眉の方向に合わせてペンにより眉間の中心に十字マークを描くためのマークシートと、
横方向に延びる帯電可能な絶縁部材からなる透過性の型取りシート本体と、前記型取りシート本体の一端側に形成され、前記眉間に描かれた前記十字マークに合わせるための所定寸法の位置決め用十字マーク部と、前記型取りシート本体の他端側と前記十字マーク部との間に設けられ、カッテング用マットに形成された眉毛パターンを下敷きにしてこの眉毛パターンと同一形状の眉形状をカッタにより切り抜くための型取り領域とを有する型取りシートと、
を備えたことを特徴とする眉毛描き用具。
【請求項３】
前記カッテング用マットには、複数の種類の前記眉毛パターンが形成されていることを特徴とする請求項２記載の眉毛描き用具。
【請求項４】
前記マークシート本体は、前記上端側における前記十字溝の形成箇所が丸い頭部形状をなし、前記頭部形状から前記マークシート本体の下端側へ細長く尾状に延びる形状をしていることを特徴とする請求項１又は２記載の眉毛描き用具。
【請求項５】
前記型取り領域は、上方向に湾曲した弧状に形成されていることを特徴とする請求項１又は２記載の眉毛描き用具。
【請求項６】
前記マークシート本体には、前記十字溝に沿って縦方向に延びる所定幅の縦線と横方向に延びる所定幅の横線とに着色が施されていることを特徴とする請求項１又は２記載の眉毛描き用具。
【請求項７】
前記十字マーク部は、溝状に切り抜かれた構造であることを特徴とする請求項１又は２記載の眉毛描き用具。
【請求項８】
前記溝状に切り抜かれた十字マーク部の周縁部には、所定幅の着色が施されていることを特徴とする請求項７記載の眉毛描き用具。
【請求項９】
前記マークシート本体及び前記型取りシート本体は、可撓性を有する透明なプラスチックフイルムで形成されていることを特徴とする請求項１〜８のいずれか１項に記載の眉毛描き用具。
【考案の詳細な説明】
【技術分野】
【０００１】
本考案は、左右の眉毛の形を対称に描くために使用するマークシート及び型取りシートからなる眉毛描き用具に関するものである。
【背景技術】
【０００２】
従来、眉毛の形を容易に描くために使用する型取り用のシート或いはプレートに関する技術としては、例えば、次のような文献に記載されるものがあった。
【０００３】
【特許文献１】特開平８−８９３４１号公報
【特許文献２】実用新案登録第３０３３０２８号公報
【特許文献３】特開平９−１００３４号公報
【特許文献４】実用新案登録第３０８１０７０号公報
【０００４】
特許文献１の図１とこの説明文には、シートを眉形に切り抜き、これを顔の眉部分に重ね、その眉形に切り抜かれた眉形切り抜き部分に色を付けることにより、眉を描くことができる眉毛型取りシートの技術が記載されている。
【０００５】
特許文献２の図１とこの説明文には、１枚のプレートに複数のパターンの眉形切り抜き部分が形成された眉毛用テンプレートの技術が記載されている。使用時には、所望のパターンの眉形切り抜き部分を切り離し、これを顔の眉部分に重ね、その眉形切り抜き部分に色を付けることにより、眉を容易に描くことができるようになっている。
【０００６】
特許文献３の図１とこの説明文には、左右対称でバランスの良い眉を容易に描くために、可撓性のある透明なプラスチック板に、眉形切り抜き部分が形成され、更に、目尻に対応する位置を示すガイドラインがその眉形切り抜き部分における眉山箇所の上下に付された眉毛描き用プレートの技術が記載されている。眉毛の形状は、例えば、眉頭、眉山及び眉尻の３点により特徴付けることができるので、そのガイドラインを基準にすれば、容易に眉を描くことができる。
【０００７】
特許文献４の図１とこの説明文には、枠位置表示線内に自由に描いた眉形を切り抜いて使用する透明樹脂製の眉描き用プレートと、切り抜き用内枠を有する透明樹脂製の片面粘着性プレート枠からなり、自由に描いた眉形を切り抜いて眉形切り抜き部分を形成した後の前記眉書き用プレートに、前記粘着面を当接させて前記片面粘着性プレート枠を重ね合わせ、一体に構成した眉毛描き用プレートの技術が記載されている。
【考案の開示】
【考案が解決しようとする課題】
【０００８】
しかしながら、従来の型取り用のシート或いはプレート（以下単に「シート」という。）では、次のような課題があった。
【０００９】
型取り用シートを顔の眉箇所に固定し、そのシートの眉形切り抜き部分にペン等で色を付けて左右の眉を描くようにしているが、シートを位置決めして顔の眉箇所に正確に固定することが難しく、上下左右にずれることがある。特に、シートを左右の眉箇所に上下左右ずれることなく対称に固定することは、非常に難しく、相当の熟練を要する。そのため、同一の眉を左右対称に短時間で描くことが難しいという課題があった。
【００１０】
本考案は、前記従来技術の課題を解決し、同一の眉を左右対称に短時間で容易に描くことができる眉毛描き用具を提供することを目的とする。
【課題を解決するための手段】
【００１１】
前記課題を解決するために、本考案の眉毛描き用具は、マークシートと、型取りシートとを備えている。前記マークシートは、縦方向に延びる帯電可能な絶縁部材からなる透過性のマークシート本体と、前記マークシート本体の上端側に切り抜かれた所定寸法の十字溝とを有し、前記十字溝における縦溝を鼻梁に合わせると共に前記十字溝における横溝を眉の方向に合わせてペンにより眉間の中心に十字マークを描くためのものである。前記型取りシートは、横方向に延びる帯電可能な絶縁部材からなる透過性の型取りシート本体と、前記型取りシート本体の一端側に形成され、前記眉間に描かれた前記十字マークに合わせるための所定寸法の位置決め用十字マーク部と、前記型取りシート本体の他端側と前記十字マーク部との間に設けられ、前記眉をペンでなぞって写し取るための型取り領域とを有し、前記型取り領域に写し取られた眉形状をカッタにより切り抜くためのものである。
【００１２】
又、他の構成の型取りシートとしては、横方向に延びる帯電可能な絶縁部材からなる透過性の型取りシート本体と、前記型取りシート本体の一端側に形成され、前記眉間に描かれた前記十字マークに合わせるための所定寸法の位置決め用十字マーク部と、前記型取りシート本体の他端側と前記十字マーク部との間に設けられ、カッテング用マットに形成された眉毛パターンを下敷きにしてこの眉毛パターンと同一形状の眉形状をカッタにより切り抜くための型取り領域とを有している。
【考案の効果】
【００１３】
請求項１に係る考案によれば、マークシートの縦溝を鼻梁に合わせると共に、横溝を眉に合わせ、アイブローペンシル等で十字溝をなぞれば、眉間の中心に十字マークを簡単且つ容易に描くことができる。この際、マークシートは、例えば、衣服等に数回擦りつければ、容易に帯電し、この帯電した静電気によって顔に吸着するので、接着剤等を用いなくても簡単にこのマークシートを固定できる。その上、型取りシートの十字マーク部を眉間の十字マークに合わせるだけで、顔の所定位置に簡単に位置決めできる。この際、型取りシートは、例えば、衣服等に数回擦りつければ、容易に帯電し、この帯電した静電気によって顔に吸着するので、接着剤等を用いなくても簡単にこの型取りシートを固定できる。そのため、型取りシートへ一方の眉を転写して容易に眉形状を描画でき、更に、その眉形状の抜き取り部分を案内溝にしてアイブローペンシル等で、一方の眉と対称の他方の眉を容易に描くことができる。しかも、型取りシートへ一方の眉を転写し、これを裏返して他方の眉を描くようにしているので、描画対象となる顔に適合した最適なデザインの左右の眉を対称に容易に描くことができる。
【００１４】
請求項２に係る考案によれば、請求項１に係る考案とほぼ同様の効果がある上に、カッテング用マットに形成された眉パターンを型取りシートに転写して該眉パターン部分を切り抜くようにしたので、型取りシートへのアートマジックペン等を用いた眉形状の描画工程を省略できる。そのため、眉描き作業を簡易化でき、作業時間をより短縮できる。更に、眉パターン部分の切り抜き作業時において、帯電した型取りシートが静電気によりカッテング用マットに固定されるので、該型取りシートの移動が阻止され、的確な切り抜き作業が行える。
【００１５】
請求項３に係る考案によれば、カッテング用マットに形成された複数の眉パターンから所望の眉パターンを選び、これを型取りシートに転写でき、使い勝手が良い。
【００１６】
請求項４に係る考案によれば、マークシート本体は、頭部と尾部とで構成されているので、位置決めが容易で、目を遮蔽することなく、顔の眉間の中心に的確に十字マークを付けることができる。
【００１７】
請求項５に係る考案によれば、型取り領域が上方に湾曲した弧状になっているので、十字マーク部を眉間の十字マークに合わせるだけで、目が遮蔽されずに、顔の所定位置に簡単に位置決めできる。
【００１８】
請求項６に係る考案によれば、マークシート本体の縦線及び横線に着色が施されているので、見やすく、位置決めがし易い。
【００１９】
請求項７及び８に係る考案によれば、眉間の十字マークに十字マーク部を合わせ易く、型取りシートの位置決めが容易になる。
【００２０】
請求項９に係る考案によれば、マークシート本体及び型取りシート本体は、可撓性を有する透明なプラスチックフイルムで形成されているので、静電気による顔等への吸着性が良く、しかも下地が見やすいので転写作業等がし易い。
【考案を実施するための最良の形態】
【００２１】
本考案の眉毛描き用具は、マークシートと、型取りシートとを備えている。マークシートは、縦方向に延びる帯電可能な絶縁部材からなる透過性のマークシート本体と、前記マークシート本体の上端側に切り抜かれた所定寸法の十字溝とを有している。型取りシートは、横方向に延びる帯電可能な絶縁部材からなる透過性の型取りシート本体と、前記型取りシート本体の一端側に形成され、前記眉間に描かれた前記十字マークに合わせるための所定寸法の位置決め用十字マーク部と、前記型取りシート本体の他端側と前記十字マーク部との間に設けられ、眉をペンでなぞって写し取るための型取り領域とを有している。
【００２２】
このような構成の眉毛描き用具を用いて左右対称の眉を顔に描くには、顔の左右の眉描画位置の何れか（例えば、左側の眉描画位置）にアイブローペンシル等で左側眉を描く。そして、衣服等に数回擦りつけて帯電させたマークシートを眉間部分にあてがい、このマークシートの十字溝における縦溝を、鼻梁に合わせると共に、その十字溝における横溝を眉の方向に合わせて位置決めすると、このマークシートに帯電した静電気によって該マークシートが顔の所定位置に吸着される。アイブローペンシル等で、マークシートの十字溝内に沿って線を引くと、眉間の中心に十字マークが描ける。マークシートを顔から取り去り、この顔に描かれた左側眉の箇所に、衣服等に数回擦りつけて帯電させた型取りシートをあてがい、この型取りシートの十字マーク部を眉間の十字マークに合わせると、顔に描かれた左側眉上に該型取りシートの型取り領域が位置決めされ、帯電した静電気によって該型取りシートが顔に吸着される。
【００２３】
次に、型取りシートにおける型取り領域の下にある左側眉を、アートマジックペン等で該型取り領域に正確になぞって写し取る。写した型取りシートをカッテング用マット等に載せ、型取り領域における眉形状の部分をカッタにより丁寧に切り抜く。眉形状部分を切り抜いた型取りシートを裏返して顔の右側眉箇所にあてがい、その型取りシートの十字マーク部を眉間の十字マークに合わせる。これにより、型取りシートが右側眉箇所に上下左右位置決めされて顔に吸着される。そして、型取りシートにおける切り抜かれた眉形状部分をアイブローペンシル等で色付けすれば、左側眉と対称の右側眉が描ける。その後、眉間の十字マークを消去等すれば、眉描き作業が終了する。
【００２４】
なお、上記処理において、型取りシートに左側眉形状を写し取る際に、カッテング用マットに形成された眉毛パターンを下敷きにして、該型取りシートに対して直接、カッタにより左側眉形状を切り抜くようにしても良い。
【実施例１】
【００２５】
（構成）
図１（１）、（２）は、本考案の実施例１を示す眉毛描き用具の構成図であり、同図（１）はマークシートの表面図、及び同図（２）は型取りシートの表面図である。
【００２６】
マークシート１０は、縦方向に延びる帯電可能な絶縁部材からなる透過性のマークシート本体１１を有している。このマークシート本体１１は、例えば、可撓性を有する透明なプラスチックフィルタで形成されて全体が略おたまじゃくし形をしており、上端側に設けられた卵形の頭部１１ａと、この頭部１１ａから下端側へ細長く尾状に延びる尾部１１ｂとで構成されている。頭部１１ａのほぼ中央には、所定寸法に切り抜かれた十字溝１２が形成されている。十字溝１２は、垂直方向の縦溝１２ａと、これに対して直交する水平方向の横溝１２ｂとで構成され、アイブローペン等で眉間の中心に十字マークを描くための案内溝としての機能を有している。縦溝１２ａには、これに沿って頭部１１ａの上端から尾部１１ｂの下端まで縦方向に延びる所定幅の縦線１３ａが形成され、更に、横溝１２ｂにも、これに沿って頭部１１ａの左端から右端まで横方向に延びる所定幅の横線１３ｂが形成されている。縦線１３ａ及び横線１３ｂには、見やすいように着色が施されている。
【００２７】
型取りシート２０は、横方向に延びる帯電可能な絶縁部材からなる透過性の型取りシート本体２１を有している。この型取り本体２１は、例えば、可撓性を有する透明なプラスチックフィルタで形成され、一端側に形成された楕円形の頭部２１ａと、この頭部２１ａから他端側に延びる上方向に湾曲した弧状の型取り領域２１ｂとで構成されている。頭部２１ａのほぼ中央には、眉間に描かれる十字マークに合わせるための所定寸法の位置決め用十字マーク部２２が形成されている。十字マーク部２２は、例えば、溝状に切り抜かれており、垂直方向の縦溝２２ａと、これに対して直交する水平方向の横溝２２ｂとで構成されている。縦溝２２ａ及び横溝２２ｂの周縁部２３には、見やすいように所定幅の着色が施されている。型取り領域２１ｂは、転写した眉形状をカッタにより切り抜くための領域であり、この切り抜かれた眉形状が、アイブローペンシル等で顔に眉を描くときの案内枠としての機能を有する。
【００２８】
（使用例）
図２（１）〜（４）及び図３（１）〜（３）は、図１の眉毛描き用具を用いて左右の眉を対称に描くときの使用例を示す図である。
【００２９】
先ず、図２（１）において、顔３０の左右何れかの眉毛部分（例えば、左側の眉毛部分）に、アイブローペンシル等で左側の眉３１を描く。そして、衣服等に数回擦りつけて帯電させたマークシート１０の頭部１１ａを眉間部分３３にあてがい、このマークシート１０の縦線１３ａを、顔３０の中央にある鼻３４の鼻梁３４ａに合わせると共に、該マークシート１０の横線１３ｂを、眉３１の方向に合わせて、十字溝１２の中心が眉間部分３３の中心にくるように位置決めする。すると、マークシート１０に帯電した静電気によって、該マークシート１０が顔３０に吸着されるので、アイブローペンシル等を用い、十字溝１２内に沿って線を引き、眉間部分３３の中心に十字マーク３５を描く。十字マーク３５を描いた後、マークシート１０を顔３０から取り去る。
【００３０】
図２（２）において、顔３０に描かれた左側の眉３１の箇所に、衣服等に数回擦りつけて帯電させた型取りシート２０をあてがい、この型取りシート２０の十字マーク部２２を、眉間部分３３の十字マーク３５に合わせる。すると、型取りシート２０の型取り領域２１ｂが左側眉３１上に位置決めされ、該型取りシート２０に帯電した静電気によって、該型取りシート２０が顔３０に吸着される。
【００３１】
図２（３）において、アートマジックペン３６等を用い、型取り領域２１ｂの下にある左側眉３１の形状を、該型取り領域２１ｂの表面から正確になぞって写し取る。これにより、写し取った左眉形状３１Ａが、型取り領域２１ｂの表面に描画される。
【００３２】
図２（４）において、型取りシート２０を顔３０から外してカッテング用マット３７等に載せる。シートカッタ３８等を用いて、型取りシート２０の左眉形状３１Ａの部分を丁寧にカットする。そして、カットした左眉形状３１Ａの部分を抜き取り、この抜き取り部分２１ｃを有する型取りシート２０を利用する。
【００３３】
図３（１）において、抜き取り後の型取りシート２０を裏返して顔３０の右側眉箇所にあてがい、その型取りシート２０の十字マーク部２２を眉間部分３３の十字マーク３５に合わせる。すると、型取りシート２０の型取り領域２１ｂが、位置決めされて右側眉箇所に配置され、帯電した静電気によって顔３０に吸着される。
【００３４】
図３（２）において、アイブローペンシル３９等を用い、型取り領域２１ｂにおける抜き取り部分２１ｃを描き込んでいく。この時、型取りシート２０の十字マーク部２２が、眉間部分３３の十字マーク３５からずれないように注意する。
【００３５】
図３（３）において、型取りシート２０を顔３０から取り外せば、左側眉３１と対称の右側眉３２が形成されている。その後、眉間部分３３の十字マーク３５を消去等すれば、眉描き作業が終了する。
【００３６】
なお、人間の顔３０は誰でも左右対称というこはないので、左右同じに眉３１，３２を描いても、微妙に違うように感じることがある。このように感じた場合は、図３（１）における型取りシート２０の位置決め時に、眉３１，３２のみのバランスよりも、顔全体のバランスに合わせて上下左右等の調整をすれば良い。
【００３７】
（効果等）
本実施例１では、  次の（ａ）〜（ｄ）のような効果等がある。
【００３８】
（ａ）  マークシート１０の縦溝１２ａ（即ち、縦線１３ａ）を鼻梁３４ａに合わせると共に、横溝１２ｂ（即ち、横線１３ｂ）を眉３１に合わせ、アイブローペンシル等で十字溝１２をなぞれば、眉間部分３３の中心に十字マーク３５を簡単且つ容易に描くことができる。この際、マークシート１０は、衣服等に数回擦りつけて帯電させた静電気によって顔３０に吸着するので、接着剤等を用いなくても簡単にこのマークシート１０を固定できる。なお、作業時にマークシート１０を手で触っているうちに該マークシート１０が帯電するので、この時の静電気による吸着力で充分であれば、マークシート１０を敢えて衣服等に擦りつける必要はない。
【００３９】
（ｂ）  型取りシート２０は、この型取り領域２１ｂが上方に湾曲した弧状になっているので、十字マーク部２２を眉間部分３３の十字マーク３５に合わせるだけで、目が遮蔽されずに、顔３０の所定位置に簡単に位置決めできる。この際、型取りシート２０は、衣服等に数回擦りつけて帯電させた静電気によって顔３０に吸着するので、接着剤等を用いなくても簡単にこの型取りシート２０を固定できる。そのため、型取りシート２０へ左側眉３１を転写して容易に左眉形状３１Ａを描画でき、更に、その左眉形状３１Ａの抜き取り部分２１ｃを案内溝にしてアイブローペンシル３９等で、左側眉３１と対称の右側眉３２を容易に描くことができる。なお、作業時に型取りシート２０を手で触っているうちに該型取りシート２０が帯電するので、この時の静電気による吸着力で充分であれば、型取りシート２０を敢えて衣服等に擦りつける必要はない。
【００４０】
（ｃ）  型取りシート２０へ左側眉３１を転写し、これを裏返して右側眉３２を描くようにしているので、描画対象となる顔３０に適合した最適なデザインの眉３１，３２を左右対称に容易に描くことができる。
【００４１】
（ｄ）  図２及び図３では、顔３０の左側に描いた左側眉３１を基準にして、これと同一の右側眉３２を顔３０の右側に対称に転写する方法について説明したが、これとは逆に、右側に描いた右側眉３２を基準にしてこれと対称に左側眉３１を転写するようにしても良い。
【実施例２】
【００４２】
（構成）
図４（１）、（２）は、本考案の実施例２を示すカッテング用マットの表面図である。
【００４３】
この２枚のカッテング用マット４０−１，４０−２は、図１の型取りシート２０への眉３１又は３２の転写を行うために使用するものである。各カッテング用マット４０−１，４０−２は、樹脂製等の絶縁性の基板４１を有し、この基板４１に複数種類の眉毛パターン４２が形成されている。眉毛パターン４２は、例えば、眉頭４２ａ、眉山４２ｂ及び眉尻４２ｃの３点から特定でき、これに基づき大きく分けると、アーチ形、カーブ形及びストレート形に分類でき、標準的な種類は概ね２０種類程度である。そこで、２枚の基板４１，４１に各１０種類の眉毛パターン４２がそれぞれ形成されている。
【００４４】
更に、各基板４１には、転写の際の便宜を考えて複数本の基準線が形成されている。基準線としては、例えば、眉間の中心となる縦の中心線４３、眉頭４２ａを通る縦線４４、眉山４２ｂを通る縦線４５、眉尻４２ｃを通る縦線４６、及び眉山４２ｂを通る横線４７等が形成されている。
【００４５】
（使用例）
図１の型取りシート２０に眉パターンを転写する場合、カッテング用マット４０−１，４０−２から所望の眉パターン４２を選び、この上に、帯電した型取りシート２０を載置する。型取りシート２０における十字マーク部２２の縦溝２２ａを中心線４３に合わせ、横線４７等を基準にして該十字マーク部２２を上下に移動して型取り領域２１ｂを位置決めすれば、該型取りシート２０に帯電した静電気によって、該型取りシート２０が所望の眉パターン４２上の適正な位置に吸着される。
【００４６】
シートカッタ３８等を用いて、型取りシート２０の眉パーン４２部分を丁寧にカットする。そして、カットした眉形状部分を抜き取り、この抜き取り部分を有する型取りシート２０を利用し、図３（２）に示すような方法で、左右の眉３１，３２をアイブローペンシル３９等で描けば、所望の眉パターン４２を左右対称に顔３０に転写できる。
【００４７】
（効果等）
本実施例２では、次の（ｉ）、（ｉｉ）のような効果等がある。
【００４８】
（ｉ）  カッテング用マット４０−１，４０−２に形成された複数の眉パターン４２から所望の眉パターンを選び、これを型取りシート２０に転写して該眉パターン部分を切り抜くようにしたので、図２（３）のようなアートマジックペン３６等を用いた左眉形状３１Ａの描画工程を省略できる。そのため、眉描き作業を簡易化でき、作業時間をより短縮できる。
【００４９】
（ｉｉ）  眉パターン部分の切り抜き作業時において、帯電した型取りシート２０が静電気によりカッテング用マット４０−１，４０−２に吸着されるので、該型取りシート２０の移動が阻止され、的確な切り抜き作業が行える。
【実施例３】
【００５０】
本考案は、上記実施例に限定されず、種々の変形が可能である。この変形例である実施例３としては、例えば、次の（Ａ）〜（Ｃ）のようなものがある。
【００５１】
（Ａ）  図１のマークシート１０において、縦線１３ａ及び横線１３ｂは、位置決めをし易くするものであるが、省略しても良い。又、マークシート１０を半透明のフイルム等で構成したり、このマークシート１０の表面形状を図示以外の形状に変更しても良い。
【００５２】
（Ｂ）  図１の型取りシート２０において、十字マーク部２２の周縁部２３は位置決めをし易くするものであるが、省略しても良い。又、十字マーク部２２は、溝状に切り抜かれた構造にしたが、これを単なる十字線で構成しても良い。又、型取りシート２０を半透明のフイルム等で構成したり、この型取りシート２０の表面形状を図示以外の形状に変更しても良い。
【００５３】
（Ｃ）  図４（１）、（２）では、２枚のカッテング用マット４０−１，４０−２を使用したが、これに限定されない。例えば、寸法の大きな１枚のカッテング用マットの表面に２０種類の眉毛パターン４２を形成したり、或いは、図４（１）、（２）と同一寸法の１枚のカッテング用マットの表裏に２０種類の眉毛パターン４２を形成しても良い。又、カッテング用マット４０−１，４０−２の表面形状を円形等の他の形状にしたり、中心線４３等の基準線の位置や本数等を任意に変更したり、或いは、眉毛パターン数を任意の数に変更しても良い。
【図面の簡単な説明】
【００５４】
【図１】本考案の実施例１を示す眉毛描き用具の構成図である。
【図２】図１の眉毛描き用具の使用例を示す図である。
【図３】図１の眉毛描き用具の使用例を示す図である。
【図４】本考案の実施例２を示すカッテング用マットの表面図である。
【符号の説明】
【００５５】
１０    マークシート
１１    マークシート本体
１１ａ    頭部
１１ｂ    尾部
１２    十字溝
１２ａ    縦溝
１２ｂ    横溝
１３ａ    縦線
１３ｂ    横線
２０    型取りシート
２１    型取りシート本体
２１ａ    頭部
２１ｂ    型取り領域
２２    十字マーク部
２２ａ    縦溝
２２ｂ    横溝
２３    周縁部
３７，４０−１，４０−２    カッテング用マット
４２    眉毛パターン
【図１】
0003103659.tif 000003
【図２】
0003103659.tif 000004
【図３】
0003103659.tif 000005
【図４】
0003103659.tif 000006